(57)【要約】  本出願の実施例による開放検出方法及びＬＥＤ表示装置は、ＬＥＤ表示の技術分野に属する。前記開放検出方法は、前記ＬＥＤ表示装置における複数の行ラインのうちの任意１つの検査待ちの行ラインに開放検出電圧を印加するとともに、前記複数の行ラインのうちの、前記検査待ちの行ライン以外の行ラインの電位を０超かつ各前記ＬＥＤビーズのオン電圧より低い第１既設値にプルダウンするステップと、各前記列ラインにおいて電位が第２既設値より低い列ラインが存在するか否かを検査し、存在する場合、前記ＬＥＤ表示装置に開放状態のＬＥＤビーズが存在していると判断するステップとを含む。本出願によって、ＬＥＤ表示装置におけるＬＥＤビーズに対する開放検出の有効性を向上させることができる。
2021526232.tif 000002
【特許請求の範囲】
【請求項１】
複数の行ラインと、複数の列ラインと、正極が１本の前記行ラインと接続され、負極が１本の前記列ラインと接続される複数のＬＥＤビーズとを有するＬＥＤ表示装置におけるＬＥＤビーズに対して開放検出を行うための開放検出方法であって、
前記複数の行ラインのうちの任意１つの検査待ちの行ラインに開放検出電圧を印加するとともに、前記複数の行ラインのうちの、前記検査待ちの行ライン以外の行ラインの電位を、０超かつ各前記ＬＥＤビーズのオン電圧より低い第１既設値にプルダウンするステップと、
各前記列ラインにおいて電位が第２既設値より低い列ラインが存在するか否かを検査し、存在する場合、前記ＬＥＤ表示装置に開放状態のＬＥＤビーズが存在していると判断するステップとを含む
ことを特徴とする開放検出方法。
【請求項２】
前記複数の行ラインのうちの任意１つの検査待ちの行ラインに開放検出電圧を印加するとともに、前記複数の行ラインのうちの、前記検査待ちの行ライン以外の行ラインの電位を第１既設値にプルダウンするステップの前に、
前記ＬＥＤ表示装置において短絡状態のＬＥＤビーズが存在するか否かを検査するステップと、
存在する場合、前記複数の行ラインのうちの任意１つの検査待ちの行ラインに開放検出電圧を印加するとともに、前記複数の行ラインのうちの、前記検査待ちの行ライン以外の行ラインの電位を第１既設値にプルダウンすることを実行するステップとをさらに含む
ことを特徴とする請求項１に記載の開放検出方法。
【請求項３】
前記ＬＥＤ表示装置において短絡状態のＬＥＤビーズが存在するか否かを検査するステップは、
前記複数の行ラインのうちの任意１つの検査待ちの行ラインに短絡検査電圧を印加するステップと、
各前記列ラインにおいて電位が第３既設値より高い又は電位が前記短絡検査電圧に等しい列ラインが存在するか否かを検査し、存在する場合、前記ＬＥＤ表示装置に短絡状態のＬＥＤビーズが存在していると判断するステップとを含む
ことを特徴とする請求項２に記載の開放検出方法。
【請求項４】
前記ＬＥＤ表示装置に短絡状態のＬＥＤビーズが存在しない場合、前記複数の行ラインのうちの任意１つの検査待ちの行ラインに開放検出電圧を印加するとともに、前記複数の行ラインのうちの、前記検査待ちの行ライン以外の行ラインを電圧非印加状態にするステップと、
各前記列ラインにおいて電位が前記第２既設値より低い列ラインが存在するか否かを検査し、存在する場合、前記ＬＥＤ表示装置に開放状態のＬＥＤビーズが存在していると判断するステップと
をさらに含むことを特徴とする請求項２又は３に記載の開放検出方法。
【請求項５】
前記複数の行ラインのうちの、前記検査待ちの行ライン以外の行ラインの電位の第１既設値へのプルダウンは、
前記複数の行ラインのうちの、前記検査待ちの行ライン以外の行ラインの電位を第１既設値にプルダウンして解放すること、又は、
前記複数の行ラインのうちの、前記検査待ちの行ライン以外の行ラインの電位を第１既設値にプルダウンし続けることによって行われる
ことを特徴とする請求項１〜４のいずれか１項に記載の開放検出方法。
【請求項６】
前記検査待ちの行ラインと電位が前記第２既設値より低い列ラインとの交差点におけるＬＥＤビーズを開放状態のビーズとするステップをさらに含むことを特徴とする請求項１〜５のいずれか１項に記載の開放検出方法。
【請求項７】
前記開放検出電圧が前記ＬＥＤビーズのオン電圧より大きいことを特徴とする請求項１〜６のいずれか１項に記載の開放検出方法。
【請求項８】
前記複数の行ラインのうちの任意１つの検査待ちの行ラインに開放検出電圧を印加するとともに、前記複数の行ラインのうちの、前記検査待ちの行ライン以外の行ラインの電位を第１既設値にプルダウンするステップの前に、
開放検出指示に応答し、該開放検出指示に基づいて正常表示モードから開放検出モードに切り替えるステップをさらに含む
ことを特徴とする請求項１〜７のいずれか１項に記載の開放検出方法。
【請求項９】
複数の行ラインと、複数の列ラインと、正極が１本の前記行ラインと接続され、負極が１本の前記列ラインと接続される複数のＬＥＤビーズとを有するＬＥＤ表示装置におけるＬＥＤビーズに対して開放検出を行うための開放検出方法であって、
前記ＬＥＤ表示装置において短絡状態のＬＥＤビーズが存在するか否かを検査し、存在する場合、前記の短絡状態のＬＥＤビーズの対応する行ラインを短絡行ラインとするステップと、
前記複数の行ラインのうちの、前記短絡行ライン以外の任意１つの検査待ちの行ラインに開放検出電圧を印加し、前記短絡行ラインの電位を０超かつ各前記ＬＥＤビーズのオン電圧より低い第１既設値にプルダウンするとともに、前記複数の行ラインのうちの、前記短絡行ライン及び前記検査待ちの行ライン以外の行ラインを電圧非印加状態にするステップと、
各前記列ラインにおいて電位が第２既設値より低い列ラインが存在するか否かを検査し、存在する場合、前記ＬＥＤ表示装置に開放状態のＬＥＤビーズが存在していると判断するステップとを含む
ことを特徴とする開放検出方法。
【請求項１０】
前記ＬＥＤ表示装置において短絡状態のＬＥＤビーズが存在するか否かを検査するステップは、
前記複数の行ラインのうちの任意１つの検査待ちの行ラインに短絡検査電圧を印加するステップと、
各前記列ラインにおいて電位が第３既設値より高い又は電位が前記短絡検査電圧に等しい列ラインが存在するか否かを検査し、存在する場合、前記ＬＥＤ表示装置に短絡状態のＬＥＤビーズが存在していると判断するステップとを含む
ことを特徴とする請求項９に記載の開放検出方法。
【請求項１１】
前記短絡行ラインの電位の第１既設値へのプルダウンは、
前記短絡行ラインの電位を第１既設値にプルダウンして解放すること、又は、
前記短絡行ラインの電位を第１既設値にプルダウンし続けることによって行われる
ことを特徴とする請求項９又は１０に記載の開放検出方法。
【請求項１２】
前記ＬＥＤ表示装置に短絡状態のＬＥＤビーズが存在しない場合、前記複数の行ラインのうちの任意１つの検査待ちの行ラインに開放検出電圧を印加するとともに、前記複数の行ラインのうちの、前記検査待ちの行ライン以外の行ラインを電圧非印加状態にするステップと、
各前記列ラインにおいて電位が第２既設値より低い列ラインが存在するか否かを検査し、存在する場合、前記ＬＥＤ表示装置に開放状態のＬＥＤビーズが存在していると判断するステップと
をさらに含むことを特徴とする請求項９〜１１のいずれか１項に記載の開放検出方法。
【請求項１３】
前記開放検出電圧が前記ＬＥＤビーズのオン電圧より大きいことを特徴とする請求項９〜１２のいずれか１項に記載の開放検出方法。
【請求項１４】
前記検査待ちの行ラインと電位が前記第２既設値より低い列ラインとの交差点におけるＬＥＤビーズを開放状態のビーズとするステップをさらに含むことを特徴とする請求項９〜１３のいずれか１項に記載の開放検出方法。
【請求項１５】
ＬＥＤ表示アレイと、行駆動モジュールと、列駆動モジュールと、制御装置とを有し、
前記ＬＥＤ表示アレイは、複数の行ラインと、複数の列ラインと、正極が１本の前記行ラインと接続され、負極が１本の前記列ラインと接続される複数のＬＥＤビーズと、を有し、
前記行駆動モジュールは、各前記行ラインのそれぞれと接続され、前記複数の行ラインのうちの任意１つの検査待ちの行ラインに開放検出電圧を印加するとともに、前記複数の行ラインのうちの、前記検査待ちの行ライン以外の行ラインの電位を０超かつ各前記ＬＥＤビーズのオン電圧より低い第１既設値にプルダウンし、
前記列駆動モジュールは、各前記列ラインのそれぞれと接続され、前記検査待ちの行ラインと接続されるＬＥＤビーズの両端間にＬＥＤビーズを導通させる電圧差を形成するように、各前記列ラインに駆動電圧を印加し、
前記制御装置は、前記行駆動モジュール及び前記列駆動モジュールと接続され、前記行駆動モジュールが前記複数の行ラインのうちの任意１つの検査待ちの行ラインに開放検出電圧を印加するとともに、前記複数の行ラインのうちの、前記検査待ちの行ライン以外の行ラインの電位を０超かつ各前記ＬＥＤビーズのオン電圧より低い第１既設値にプルダウンするように制御し、
前記制御装置は、さらに、各前記列ラインにおいて電位が第２既設値より低い列ラインが存在するか否かを検査し、存在する場合、前記ＬＥＤ表示装置に開放状態のＬＥＤビーズが存在していると判断する
ことを特徴とするＬＥＤ表示装置。
【請求項１６】
前記列駆動モジュールは、定電流源駆動モジュールであることを特徴とする請求項１５に記載のＬＥＤ表示装置。
【請求項１７】
ＬＥＤ表示アレイと、行駆動モジュールと、列駆動モジュールと、制御装置とを有し、
前記ＬＥＤ表示アレイは、複数の行ラインと、複数の列ラインと、正極が１本の前記行ラインと接続され、負極が１本の前記列ラインと接続される複数のＬＥＤビーズと、を有し、
前記行駆動モジュールは、各前記行ラインのそれぞれと接続され、前記複数の行ラインに短絡状態のＬＥＤビーズの対応する行ラインである短絡行ラインが存在する場合、前記複数の行ラインのうちの、前記短絡行ライン以外の任意１つの検査待ちの行ラインに開放検出電圧を印加し、前記短絡行ラインの電位を０超かつ各前記ＬＥＤビーズのオン電圧より低い第１既設値にプルダウンするとともに、前記複数の行ラインのうちの、前記短絡行ライン及び前記検査待ちの行ライン以外の行ラインを電圧非印加状態にし、
前記列駆動モジュールは、各前記列ラインのそれぞれと接続され、前記検査待ちの行ラインと接続されるＬＥＤビーズの両端間にＬＥＤビーズを導通させる電圧差を形成するように、各前記列ラインに駆動電圧を印加し、
前記制御装置は、前記行駆動モジュール及び前記列駆動モジュールと接続され、前記ＬＥＤ表示装置において短絡状態のＬＥＤビーズが存在するか否かを検査し、存在する場合、短絡状態のＬＥＤビーズの対応する行ラインを短絡行ラインとし、そして、前記行駆動モジュールが前記複数の行ラインのうちの、前記短絡行ライン以外の任意１つの検査待ちの行ラインに開放検出電圧を印加し、前記短絡行ラインの電位を０超かつ各前記ＬＥＤビーズのオン電圧より低い第１既設値にプルダウンするとともに、前記複数の行ラインのうちの、前記短絡行ライン及び前記検査待ちの行ライン以外の行ラインを電圧非印加状態にするように制御し、
前記制御装置は、さらに、各前記列ラインにおいて電位が第２既設値より低い列ラインが存在するか否かを検査し、存在する場合、前記ＬＥＤ表示装置に開放状態のＬＥＤビーズが存在していると判断する
ことを特徴とするＬＥＤ表示装置。
【請求項１８】
前記列駆動モジュールは、定電流源駆動モジュールであることを特徴とする請求項１７に記載のＬＥＤ表示装置。
【発明の詳細な説明】
【技術分野】
【０００１】
本出願は、ＬＥＤ表示の技術分野に属し、具体的に、開放検出方法及びＬＥＤ表示装置に関する。
【０００２】
関連出願の交互引用
本出願は、２０１９年０３月２２日に中国専利局に提出された、出願番号が２０１９１０２２３９９７Ｘであり、名称が「開放検出方法及びＬＥＤ表示装置」である中国出願に基づいて優先権を主張し、そのすべての内容が参照により本出願に組み込まれる。
【背景技術】
【０００３】
ＬＥＤ（発光ダイオード、Ｌｉｇｈｔ  Ｅｍｉｔｔｉｎｇ  Ｄｉｏｄｅ）表示装置の開放検出は、通常、列ラインの電位の高さに基づいて（ＬＥＤビーズが開放状態になると、列ラインがいわゆる「中空」の状態になるので、列ラインが中空の状態になったか否かに基づいて）行ラインと列ラインとの制御交差点におけるＬＥＤビーズが開放状態になったか否かを検出することによって行われる。例えば、図１に示すように、ＬＥＤビーズ２−２が開放状態になった場合、第２行に対して開放検出を行うとき、ＯＵＴ１、ＯＵＴ３、ＯＵＴ４のそれぞれ対応する列ラインの電位は、いずれもＶｏｕｔ＝Ｖｄｄ−Ｖｆとなる。これに対して、ＬＥＤビーズ２−２の開放でＯＵＴ２の対応する列ラインが中空状態になっているため、ＯＵＴ２の対応する列ラインの電位は、Ｖｄｄ−Ｖｆよりはるかに低くなる。これによって、ＯＵＴ２の対応する列ラインと第２行の行ラインとで制御されるＬＥＤビーズが開放状態になっていることを判断することができる。ここで、Ｖｄｄは、行駆動モジュールが入力する開放検出電圧であり、Ｖｆは、ＬＥＤビーズのオン電圧である。
【０００４】
しかし、ＬＥＤ表示装置の表示領域に短絡ビーズがあった場合、従来技術によってＬＥＤ表示装置における開放状態のＬＥＤビーズを正確に検出できず、開放検出が失敗する恐れがある。
【発明の概要】
【０００５】
本出願による開放検出方法及びＬＥＤ表示装置は、具体的に以下のようになる。
【０００６】
一局面として、本出願の実施例による開放検出方法は、複数の行ラインと、複数の列ラインと、正極が１本の前記行ラインと接続され、負極が１本の前記列ラインと接続される複数のＬＥＤビーズを有するＬＥＤ表示装置におけるＬＥＤビーズに対して開放検出を行うための方法であって、前記複数の行ラインのうちの任意１つの検査待ちの行ラインに開放検出電圧を印加するとともに、前記複数の行ラインのうちの、前記検査待ちの行ライン以外の行ラインの電位を、０超かつ各前記ＬＥＤビーズのオン電圧より低い第１既設値にプルダウンするステップと、各前記列ラインにおいて電位が第２既設値より低い列ラインが存在するか否かを検査し、存在する場合、前記ＬＥＤ表示装置に開放状態のＬＥＤビーズが存在していると判断するステップとを含む。
【０００７】
本出願の実施例において、好ましくは、前記開放検出方法は、前記複数の行ラインのうちの任意１つの検査待ちの行ラインに開放検出電圧を印加するとともに、前記複数の行ラインのうちの、前記検査待ちの行ライン以外の行ラインの電位を第１既設値にプルダウンするステップの前に、前記ＬＥＤ表示装置において短絡状態のＬＥＤビーズが存在するか否かを検査するステップと、存在する場合、前記複数の行ラインのうちの任意１つの検査待ちの行ラインに開放検出電圧を印加するとともに、前記複数の行ラインのうちの、前記検査待ちの行ライン以外の行ラインの電位を第１既設値にプルダウンすることを実行するステップとをさらに含む。
【０００８】
本出願の実施例において、好ましくは、前記ＬＥＤ表示装置において短絡状態のＬＥＤビーズが存在するか否かを検査するステップは、前記複数の行ラインのうちの任意１つの検査待ちの行ラインに短絡検査電圧を印加するステップと、各前記列ラインにおいて電位が第３既設値より高い又は電位が前記短絡検査電圧に等しい列ラインが存在するか否かを検査し、存在する場合、前記ＬＥＤ表示装置に短絡状態のＬＥＤビーズが存在していると判断するステップとを含む。
【０００９】
本出願の実施例において、好ましくは、前記開放検出方法は、前記ＬＥＤ表示装置に短絡状態のＬＥＤビーズが存在しない場合、前記複数の行ラインのうちの任意１つの検査待ちの行ラインに開放検出電圧を印加するとともに、前記複数の行ラインのうちの、前記検査待ちの行ライン以外の行ラインを電圧非印加状態にするステップと、各前記列ラインにおいて電位が前記第２既設値より低い列ラインが存在するか否かを検査し、存在する場合、前記ＬＥＤ表示装置に開放状態のＬＥＤビーズが存在していると判断するステップとをさらに含む。本出願の実施例において、好ましくは、前記複数の行ラインのうちの、前記検査待ちの行ライン以外の行ラインの電位の第１既設値へのプルダウンは、前記複数の行ラインのうちの、前記検査待ちの行ライン以外の行ラインの電位を第１既設値にプルダウンして解放すること、又は、前記複数の行ラインのうちの、前記検査待ちの行ライン以外の行ラインの電位を第１既設値にプルダウンし続けることによって行われる。
【００１０】
本出願の実施例において、好ましくは、前記開放検出方法は、前記検査待ちの行ラインと電位が前記第２既設値より低い列ラインとの交差点におけるＬＥＤビーズを開放状態のビーズとするステップをさらに含む。
【００１１】
本出願の実施例において、好ましくは、前記開放検出電圧が前記ＬＥＤビーズのオン電圧より大きい。
【００１２】
本出願の実施例において、好ましくは、前記開放検出方法は、前記複数の行ラインのうちの任意１つの検査待ちの行ラインに開放検出電圧を印加するとともに、前記複数の行ラインのうちの、前記検査待ちの行ライン以外の行ラインの電位を第１既設値にプルダウンするステップの前に、開放検出指示に応答し、該開放検出指示に基づいて正常表示モードから開放検出モードに切り替えるステップをさらに含む。
【００１３】
もう一局面として、本出願の実施例によるその他の開放検出方法は、複数の行ラインと、複数の列ラインと、正極が１本の前記行ラインと接続され、負極が１本の前記列ラインと接続される複数のＬＥＤビーズとを有するＬＥＤ表示装置におけるＬＥＤビーズに対して開放検出を行うための開放検出方法であって、前記ＬＥＤ表示装置において短絡状態のＬＥＤビーズが存在するか否かを検査し、存在する場合、前記の短絡状態のＬＥＤビーズの対応する行ラインを短絡行ラインとするステップと、前記複数の行ラインのうちの、前記短絡行ライン以外の任意１つの検査待ちの行ラインに開放検出電圧を印加し、前記短絡行ラインの電位を０超かつ各前記ＬＥＤビーズのオン電圧より低い第１既設値にプルダウンするとともに、前記複数の行ラインのうちの、前記短絡行ライン及び前記検査待ちの行ライン以外の行ラインを電圧非印加状態にするステップと、各前記列ラインにおいて電位が第２既設値より低い列ラインが存在するか否かを検査し、存在する場合、前記ＬＥＤ表示装置に開放状態のＬＥＤビーズが存在していると判断するステップとを含む。
【００１４】
本出願の実施例において、好ましくは、前記ＬＥＤ表示装置において短絡状態のＬＥＤビーズが存在するか否かを検査するステップは、前記複数の行ラインのうちの任意１つの検査待ちの行ラインに短絡検査電圧を印加するステップと、各前記列ラインにおいて電位が第３既設値より高い又は電位が前記短絡検査電圧に等しい列ラインが存在するか否かを検査し、存在する場合、前記ＬＥＤ表示装置に短絡状態のＬＥＤビーズが存在していると判断するステップとを含む。
【００１５】
本出願の実施例において、好ましくは、前記短絡行ラインの電位の第１既設値へのプルダウンは、前記短絡行ラインの電位を第１既設値にプルダウンして解放すること、又は、前記短絡行ラインの電位を第１既設値にプルダウンし続けることによって行われる。
【００１６】
本出願の実施例において、好ましくは、前記開放検出方法は、前記ＬＥＤ表示装置に短絡状態のＬＥＤビーズが存在しない場合、前記複数の行ラインのうちの任意１つの検査待ちの行ラインに開放検出電圧を印加するとともに、前記複数の行ラインのうちの、前記検査待ちの行ライン以外の行ラインを電圧非印加状態にするステップと、各前記列ラインにおいて電位が第２既設値より低い列ラインが存在するか否かを検査し、存在する場合、前記ＬＥＤ表示装置に開放状態のＬＥＤビーズが存在していると判断するステップとをさらに含む。
【００１７】
本出願の実施例において、好ましくは、前記開放検出電圧が前記ＬＥＤビーズのオン電圧より大きい。
【００１８】
本出願の実施例において、好ましくは、前記方法は、前記検査待ちの行ラインと電位が前記第２既設値より低い列ラインとの交差点におけるＬＥＤビーズを開放状態のビーズとするステップをさらに含む。
【００１９】
もう一局面として、本出願の実施例によるＬＥＤ表示装置は、ＬＥＤ表示アレイと、行駆動モジュールと、列駆動モジュールと、制御装置とを有し、前記ＬＥＤ表示アレイは、複数の行ラインと、複数の列ラインと、正極が１本の前記行ラインと接続され、負極が１本の前記列ラインと接続される複数のＬＥＤビーズと、を有し、前記行駆動モジュールは、各前記行ラインのそれぞれと接続され、前記複数の行ラインのうちの任意１つの検査待ちの行ラインに開放検出電圧を印加するとともに、前記複数の行ラインのうちの、前記検査待ちの行ライン以外の行ラインの電位を０超かつ各前記ＬＥＤビーズのオン電圧より低い第１既設値にプルダウンし、前記列駆動モジュールは、各前記列ラインのそれぞれと接続され、前記検査待ちの行ラインと接続されるＬＥＤビーズの両端間にＬＥＤビーズを導通させる電圧差を形成するように、各前記列ラインに駆動電圧を印加し、前記制御装置は、前記行駆動モジュール及び前記列駆動モジュールと接続され、前記行駆動モジュールが前記複数の行ラインのうちの任意１つの検査待ちの行ラインに開放検出電圧を印加するとともに、前記複数の行ラインのうちの、前記検査待ちの行ライン以外の行ラインの電位を０超かつ各前記ＬＥＤビーズのオン電圧より低い第１既設値にプルダウンするように制御し、前記制御装置は、さらに、各前記列ラインにおいて電位が第２既設値より低い列ラインが存在するか否かを検査し、存在する場合、前記ＬＥＤ表示装置に開放状態のＬＥＤビーズが存在していると判断する。
【００２０】
本出願の実施例において、好ましくは、前記列駆動モジュールは、定電流源駆動モジュールである。
【００２１】
もう一局面として、本出願の実施例によるその他のＬＥＤ表示装置は、ＬＥＤ表示アレイと、行駆動モジュールと、列駆動モジュールと、制御装置とを有し、前記ＬＥＤ表示アレイは、複数の行ラインと、複数の列ラインと、正極が１本の前記行ラインと接続され、負極が１本の前記列ラインと接続される複数のＬＥＤビーズと、を有し、前記行駆動モジュールは、各前記行ラインのそれぞれと接続され、前記複数の行ラインに短絡状態のＬＥＤビーズの対応する行ラインである短絡行ラインが存在する場合、前記複数の行ラインのうちの、前記短絡行ライン以外の任意１つの検査待ちの行ラインに開放検出電圧を印加し、前記短絡行ラインの電位を０超かつ各前記ＬＥＤビーズのオン電圧より低い第１既設値にプルダウンするとともに、前記複数の行ラインのうちの、前記短絡行ライン及び前記検査待ちの行ライン以外の行ラインを電圧非印加状態にし、前記列駆動モジュールは、各前記列ラインのそれぞれと接続され、前記検査待ちの行ラインと接続されるＬＥＤビーズの両端間にＬＥＤビーズを導通させる電圧差を形成するように、各前記列ラインに駆動電圧を印加し、前記制御装置は、前記行駆動モジュール及び前記列駆動モジュールと接続され、前記ＬＥＤ表示装置において短絡状態のＬＥＤビーズが存在するか否かを検査し、存在する場合、短絡状態のＬＥＤビーズの対応する行ラインを短絡行ラインとし、そして、前記行駆動モジュールが前記複数の行ラインのうちの、前記短絡行ライン以外の任意１つの検査待ちの行ラインに開放検出電圧を印加し、前記短絡行ラインの電位を０超かつ各前記ＬＥＤビーズのオン電圧より低い第１既設値にプルダウンするとともに、前記複数の行ラインのうちの、前記短絡行ライン及び前記検査待ちの行ライン以外の行ラインを電圧非印加状態にするように制御し、前記制御装置は、さらに、各前記列ラインにおいて電位が第２既設値より低い列ラインが存在するか否かを検査し、存在する場合、前記ＬＥＤ表示装置に開放状態のＬＥＤビーズが存在していると判断する。
【００２２】
本出願の実施例において、好ましくは、前記列駆動モジュールは、定電流源駆動モジュールである。
【００２３】
本出願の実施例による開放検出方法及びＬＥＤ表示装置は、検査待ちの行ラインに開放検出電圧を印加するとともに、検査待ちの行ライン以外の行ラインの電位を０超かつ各ＬＥＤビーズのオン電圧より低い第１既設値にプルダウンし、さらに、各列ラインにおいて電位が第２既設値より低い列ラインが存在するか否かに基づいて検査待ちの行ラインに接続されるＬＥＤビーズに開放問題があるか否かを判断する。これによって、ＬＥＤ表示装置におけるＬＥＤビーズに対する開放検出の有効性及び正確性を向上させる。
【００２４】
また、本出願による開放検出方法によって、従来技術のＬＥＤ表示装置における短絡ビーズによる開放検出失敗の問題を効果的に避けることができる。
【図面の簡単な説明】
【００２５】
以下、本出願の実施例の技術案をより明瞭に説明するため、実施例の説明に必要な図面を簡単に説明する。説明する図面は、本出願の一部の実施例を示すものにすぎず、範囲を限定するものではない。当業者は、発明能力を用いなくても、これらの図面に基づいてその他の関連図面を得ることが可能である。
【図１】従来技術のＬＥＤ表示装置に対して開放検出を行うときの電流の流れ方向の模式図である。
【図２】従来技術の短絡ビーズのあったＬＥＤ表示装置に対して開放検出を行うときの電流の流れ方向の模式図である。
【図３】本出願の実施例による開放検出方法の模式的フローチャートである。
【図４】本出願の実施例による短絡ビーズがあったＬＥＤ表示装置に対して開放検出を行うときの電流の流れ方向の模式図である。
【図５】本出願の実施例によるＬＥＤ表示装置の作動モードの切り替えの模式図である。
【図６】本出願の実施例によるその他の開放検出方法の模式的フローチャートである。
【図７】本出願の実施例によるその他の開放検出方法の模式的フローチャートである。
【図８】本出願の実施例によるＬＥＤ表示装置の模式的構成図である。
【発明を実施するための形態】
【００２６】
本出願の実施例の目的、技術案及び利点をより明瞭にするため、以下、本出願の実施例に用いられる図面を参照しながら、本出願の実施例における技術案を明瞭且つ完全に説明し、説明される実施例が本出願の一部の実施例にすぎず、すべての実施例ではないことは無論である。通常、ここで図面を用いて説明して示した本出願の実施例の部品は、それぞれの組み合わせで配置、設計されることが可能である。
【００２７】
このため、図面に示された本出願の実施例に対する以下の詳細な説明は、本発明の選択された実施例を示すものに過ぎず、本出願の保護しようとする範囲を限定するものではない。本出願の実施例をもとに、当業者が発明能力を用いることなく得たすべてのその他の実施例は、いずれも本出願の保護範囲に属する。
【００２８】
なお、同様な符号は、図面において同様なものを示すので、１つの図面で定義された場合、その他の図面でさらに定義、解釈することが不要になる。
【００２９】
従来、列ラインの電位の高さに基づいて、行ラインと列ラインとの制御交差点におけるＬＥＤビーズが開放状態になったか否かを判断、検出する。ここで、列駆動モジュールが接地する場合、正常状態のＬＥＤビーズの対応する列ラインの電位Ｖ１は１．３Ｖ〜１．４Ｖ（該値が例示に過ぎず、以下同様）となり、短絡ビーズがなければ、開放状態のＬＥＤビーズの対応する列ラインの電位Ｖ２は０．３Ｖ〜０．４Ｖとなる。したがって、開放電位Ｖ０を０．６Ｖに設定し、列ラインの電位が開放電位Ｖ０より高い場合、ＬＥＤビーズが正常状態であると判断し、列ラインの電位が開放電位Ｖ０より低い場合、ＬＥＤビーズが開放状態であると判断する。しかし、ＬＥＤビーズに対して検査を行うとき、ＬＥＤ表示装置の表示領域に短絡ビーズがあった場合、短絡ビーズと異なる行に位置する開放状態のＬＥＤビーズを正確に検出できなくなる。
【００３０】
例えば、図２に示すように、ＬＥＤ表示装置が正常に表示している際に開放検出を行う実施形態では、行駆動モジュールは、検査待ちの行ライン以外の行ラインの電位を電位Ｖｄｎにプルダウンするように制御する。ここで、Ｖｄｎ＞Ｖｄｄ−Ｖｆとなる。例えば、ＬＥＤビーズ２−２を開放とし、ＬＥＤビーズ１−３を短絡とし、行駆動モジュールが既設の電位Ｖｄｎにプルダウンして解放するような方法を用いる場合、第２行に対して開放検出を行うとき、第２行以外の行がいずれも電圧非印加状態であるため、検査電流の流れ方向は、図２における点線に示すように、第２行の行ラインから流れ込み、ＬＥＤビーズ２−３、ＬＥＤビーズ１−３（導線とみなす）、ＬＥＤビーズ１−２を経由してＯＵＴ２から流れ出るようになる。したがって、ＯＵＴ２の対応する列ラインの電位Ｖｏｕｔ２＝Ｖｄｄ−Ｖｆ（ＬＥＤビーズ２−３）−Ｖｆ（ＬＥＤビーズ１−２）となる。このとき、Ｖｏｕｔ２＞Ｖ０となり、即ちＯＵＴ２の対応する列ラインが非中空状態となるので、ＬＥＤビーズ２−２の開放状態を正確に検出できず、誤判断になってしまう。
【００３１】
また、例えば、図２に示すように、ＬＥＤビーズ２−２を開放とし、ＬＥＤビーズ１−３を短絡とし、行駆動モジュールが、電位Ｖｄｎにプルダウンし続けるような方法を用いる場合、第２行に対して開放検出を行うとき、第２行以外の行がいずれもプルダウンし続ける状態であるため、検査電流の流れ方向は、図２における点線に示すように、第２行の行ラインから流れ込み、ＬＥＤビーズ２−３、ＬＥＤビーズ１−３（導線とみなされる）、ＬＥＤビーズ１−２を経由してＯＵＴ２から流れ出るようになる。したがって、ＯＵＴ２の対応する列ラインの電位Ｖｏｕｔ２＝Ｖｄｎ−Ｖｆ（ＬＥＤビーズ１−２）となり、Ｖｄｎ＞Ｖｄｄ−Ｖｆの条件に基づいて、Ｖｏｕｔ２＞Ｖｄｄ−Ｖｆ−Ｖｆ（ＬＥＤビーズ１−２）となる。このとき、Ｖｏｕｔ２＞Ｖ０となり、即ちＯＵＴ２の対応する列ラインが非中空状態となるので、ＬＥＤビーズ２−２の開放状態を正確に検出できず、誤判断になってしまう。
【００３２】
これに対して、本出願の実施例による開放検出方法及びＬＥＤ表示装置は、開放検出において、ある行に対して開放検出を行うとき、当該行の行ライン以外の行の行ラインの電位をＬＥＤビーズのオン電圧より低いようにプルダウンすることによって、開放検出失敗の問題を解決する。以下、本出願の実施例による技術案を詳細に説明する。
【００３３】
本出願の実施例による開放検出方法は、ＬＥＤ表示装置におけるＬＥＤビーズに対して開放検出を行うためのものである。ＬＥＤ表示装置は、複数の行ラインと、複数の列ラインと、複数のＬＥＤビーズとを有し、各前記ＬＥＤビーズは、正極が１本の前記行ラインと接続され、負極が１本の前記列ラインと接続されている。
【００３４】
図３は、開放検出方法の模式的フローチャートを示すものである。なお、本出願による開放検出方法は、図３及び下記の具体的な順序に限定されず、本出願の開放検出方法における一部のステップの順序を必要に応じて入れ替えてもてもよいし、一部のステップを省略や削除してもよい。図３に示すように、該開放検出方法は、下記のステップを含む。
【００３５】
ステップＳ３０１は、複数の行ラインのうちの任意１つの検査待ちの行ラインに開放検出電圧を印加するとともに、複数の行ラインのうちの、検査待ちの行ライン以外の行ラインの電位を、０超かつ各ＬＥＤビーズのオン電圧より低い第１既設値にプルダウンする。
【００３６】
ステップＳ３０２は、各列ラインにおいて電位が第２既設値より低い列ラインが存在するか否かを検査し、存在する場合、ＬＥＤ表示装置に開放状態のＬＥＤビーズが存在していると判断する。
【００３７】
ここで、第２既設値は、上記の開放電位Ｖ０の高さであり、必要に応じて自由に設定できる。本実施例では、例えば、０．５Ｖ〜１．２Ｖを第２既設値として設定することができる。列ラインの電位が第２既設値より低いとき、該列ラインが中空状態であると判断され、中空状態の列ラインが存在すると、ＬＥＤ表示装置に開放状態のＬＥＤビーズが存在していると判断できる。実施するとき、検査待ちの行ラインと電位が第２既設値より低い列ラインとの交差点におけるＬＥＤビーズを開放状態のビーズとする。
【００３８】
具体的に、上記のステップＳ３０１及びステップＳ３０２に係る開放検出は、既設の時間で各行ラインの対応するＬＥＤビーズの開放状態を順に検査することが可能であるし、ＬＥＤ表示装置におけるある行の行ラインの対応するＬＥＤビーズだけに対して開放検出を行うことが可能であり、本実施例では限定しない。また、複数の行ラインのうちの、検査待ちの行ライン以外の行ラインの電位の第１既設値へのプルダウンは、継続プルダウンで検査待ちの行ライン以外の行ラインの電位を第１既設値にプルダウンし続けることによって行われてもよいし、既設電位にプルダウンして解放することで検査待ちの行ライン以外の行ラインの電位を第１既設値にプルダウンして解放することによって行われてもよく（既設電位にプルダウンして解放する場合、電位を保持する継続期間があるので、解放後から開放検出電圧が印加されるまでの期間を継続期間より短く設定することによって、開放検出においてその他の行ラインの電位が常に第１既設値にプルダウンされる状態を確保することができる）、本実施例では限定しない。また、上記の開放検出電圧の大きさは、必要に応じて設定されることができ、例えば、開放検出電圧を、ＬＥＤビーズのオン電圧より大きく又はＬＥＤビーズのオン電圧に等しく設定することができる。
【００３９】
簡単にするため、以下、図４に示す短絡ビーズが存在するＬＥＤ表示装置に対して開放検出を行うときの電流の流れ方向の模式図を参照しながら、本出願の実施例による開放検出の原理を説明する。該ＬＥＤ表示装置１０は、行駆動モジュール１１と、列駆動モジュール１２と、ＬＥＤ表示アレイ１３とを有する。ＬＥＤ表示アレイ１３は、複数の行ライン１３１と、複数の列ライン１３２と、複数のＬＥＤビーズ１３０とを有し、各ＬＥＤビーズ１３０は、正極が１本の行ライン１３１と接続され、負極が１本の列ライン１３２と接続されている。行駆動モジュール１１が各行ライン１３１のそれぞれと接続され、列駆動モジュール１２が各列ライン１３２のそれぞれと接続されている。
【００４０】
図４において、例えば、ＬＥＤビーズ２−２を開放とし、ＬＥＤビーズ１−３を短絡（導線と見なされる）とし、第２行の行ライン１３１を検査待ちの行ラインとし、ＬＥＤビーズ１３０のオン電圧をＶｆとし、第１既設値をＶｄｎとする場合、第２行に対して開放検出を行うとき、行駆動モジュール１１が、該行ライン１３１に大きさがＶｄｄとなる開放検出電圧を印加するとともに、第２行以外の行（例えば、第１行の行ライン１３１、第３行の行ライン１３１等）の電位を第１既設値Ｖｄｎにプルダウンする。ここで、０＜Ｖｄｎ＜Ｖｆとなる。第１行の行ラインの電位Ｖｄｎ＜Ｖｆとなるため、開放検出において、検査電流の流れ方向は、図４における点線が示すようになる。つまり、ＬＥＤビーズ１−２で導通できず、ＯＵＴ２の対応する列ラインの電位Ｖｏｕｔ２が開放電位Ｖ０より小さくなり、ＯＵＴ２の対応する列ライン１３２が中空状態となるので、ＬＥＤビーズ２−２が開放状態であることが検出される。
【００４１】
好ましくは、実施されるとき、ＬＥＤ表示装置１０の作動モードは、正常表示モードと開放検出モードを含む。ここで、正常表示モードでは、列ライン１３２と行ライン１３１との間に跨がって接続されたＬＥＤビーズ１３０の正負極間に、ＬＥＤビーズ１３０を導通させる十分の電圧差を形成するように、行駆動モジュール１１の駆で行ライン１３１の電位が高電位にプルアップされ、列駆動モジュール１２で列ライン１３２の電位が低電位（例えば０Ｖ〜１Ｖ）にプルダウンされる。開放検出を行うとき、図５に示すように、指示にしたがってＬＥＤ表示装置１０の正常表示モードから開放検出モードへの切り替えを制御する。なお、図５に示す正常表示回路の回路構成は、開放検出回路と同様である。
【００４２】
上記のように、本出願による開放検出方法は、従来の開放検出回路のもとで図５に示す新たな開放検出モードを実現するステートマシンを増設し、行駆動モジュール１１と列駆動モジュール１２との協働で、従来技術のＬＥＤ表示装置１０における短絡ビーズによる開放検出失敗の問題を避ける。そのため、本出願において、上記の開放検出方法は、ステップＳ３０１とステップＳ３０２を実行する前、開放検出指示に応答し、該開放検出指示に基づいて正常表示モードから開放検出モードに切り替えるステップをさらに含む。
【００４３】
本実施例では、検査待ちの行ラインに開放検出電圧を印加するとともに、検査待ちの行ライン以外の行ラインの電位を０超かつ各ＬＥＤビーズのオン電圧より低い第１既設値にプルダウンし、そして各列ラインにおいて電位が第２既設値より低い列ラインが存在するか否かに基づいて、検査待ちの行ラインに接続されるＬＥＤビーズの開放を判断する。これによって、ＬＥＤ表示装置のＬＥＤビーズに対する開放検出の有効性及び正確性を向上させることができ、従来技術のＬＥＤ表示装置の短絡ビーズによる開放検出失敗の問題を効果的に避けることができる。
【００４４】
本出願の実施例によるその他の開放検出方法は、上記の図３に示す方法と比べて、開放検出を行う前、ＬＥＤ表示装置において短絡状態のＬＥＤビーズが存在するか否かを先に検査し、存在する場合、図３に示すステップＳ３０１とＳ３０２を実行し、存在しない場合、従来の方法で開放検出を行う。これによって、従来技術の短絡ビーズによる開放検出失敗の問題を避けることができる。
【００４５】
好ましくは、図６の開放検出方法の模式的フローチャートに示すように、該開放検出方法は、下記のステップを含む。
【００４６】
ステップＳ６０１は、ＬＥＤ表示装置において短絡状態のＬＥＤビーズが存在するか否かを検査する。
【００４７】
存在する場合、ステップＳ６０２〜ステップＳ６０３を実行し、存在しない場合、ステップＳ６０４〜ステップＳ６０５を実行する。
【００４８】
上記のステップＳ６０１におけるＬＥＤ表示装置１０において短絡状態のＬＥＤビーズ１３０が存在するか否かの判断は、図４に示すように、短絡ＬＥＤビーズ１３０の状態が、ＬＥＤビーズ１３０の両端が導線で接続される状態に相当するため、ある行の行ライン１３１を検査するとき、複数の列ライン１３２において、電位が過度に高くなる又は電位が検査待ちの行ラインに印加される短絡検査電圧に等しくなる列ラインが存在するか否かによって行われる。電位が過度に高くなる又は電位が短絡検査電圧に等しくなる列ライン１３２が存在する場合、前記ＬＥＤ表示装置１０に短絡状態のＬＥＤビーズ１３０が存在していると判断する。さらに、検査している行の対応する行ライン１３１が短絡行ラインであり、該短絡行ラインと電位異常の列ライン１３２との交差点におけるＬＥＤビーズ１３０が短絡ビーズであると判断する。
【００４９】
上記のように、ステップＳ６０１は、具体的に、複数の行ラインのうちの任意１つの検査待ちの行ラインに短絡検査電圧を印加し、各列ラインにおいて電位が第３既設値より高い又は電位が短絡検査電圧に等しい列ラインが存在するか否かを検査し、存在する場合、ＬＥＤ表示装置に短絡状態のＬＥＤビーズが存在していると判断する。ここで、第３既設値は、必要に応じて設定することができ、ここで限定しない。
【００５０】
ステップＳ６０２は、複数の行ラインのうちの任意１つの検査待ちの行ラインに開放検出電圧を印加するとともに、複数の行ラインのうちの、検査待ちの行ライン以外の行ラインの電位を、０超かつ各ＬＥＤビーズのオン電圧より低い第１既設値にプルダウンする。
【００５１】
ステップＳ６０３は、各列ラインにおいて電位が第２既設値より低い列ラインが存在するか否かを検査し、存在する場合、ＬＥＤ表示装置に開放状態のＬＥＤビーズが存在していると判断する。
【００５２】
ステップＳ６０４は、複数の行ラインのうちの任意１つの検査待ちの行ラインに開放検出電圧を印加するとともに、複数の行ラインのうちの、検査待ちの行ライン以外の行ラインを電圧非印加状態にする。
【００５３】
ステップＳ６０５は、各列ラインにおいて電位が第２既設値より低い列ラインが存在するか否かを検査し、存在する場合、ＬＥＤ表示装置に開放状態のＬＥＤビーズが存在していると判断する。
【００５４】
本実施例では、開放検出を行う前、ＬＥＤ表示装置において短絡状態のＬＥＤビーズが存在するか否かを先に検査し、存在する場合、複数の行ラインのうちの任意１つの検査待ちの行ラインに開放検出電圧を印加するとともに、複数の行ラインのうちの、検査待ちの行ライン以外の行ラインの電位を第１既設値にプルダウンする。これによって、従来技術の短絡ビーズによる開放検出失敗の問題を避ける。
【００５５】
本出願の実施例による図７に示すその他の開放検出方法は、ＬＥＤ表示装置におけるＬＥＤビーズに対して開放検出を行うための方法である。ＬＥＤ表示装置は、複数の行ラインと、複数の列ラインと、複数のＬＥＤビーズとを有し、各前記ＬＥＤビーズは、正極が１本の前記行ラインと接続され、負極が１本の前記列ラインと接続される。ただし、本出願による開放検出方法は、図７及び下記の具体的な順序に限定されず、例えば、本出願による開放検出方法における一部のステップの順序を必要に応じて入れ替えてもよいし、一部のステップを省略や削除してもよい。
【００５６】
図７に示すように、本実施例による開放検出方法は、下記のステップを含む。
【００５７】
ステップＳ７０１は、ＬＥＤ表示装置において短絡状態のＬＥＤビーズが存在するか否かを検査し、存在する場合、ステップＳ７０２〜ステップＳ７０４を実行し、存在しない場合、ステップＳ７０５〜ステップＳ７０６を実行する。
【００５８】
ステップＳ７０２は、短絡状態のＬＥＤビーズの対応する行ラインを短絡行ラインとする。
【００５９】
ステップＳ７０３は、複数の行ラインのうちの、短絡行ライン以外の任意１つの検査待ちの行ラインに開放検出電圧を印加し、短絡行ラインの電位を０超かつ各ＬＥＤビーズのオン電圧より低い第１既設値にプルダウンするとともに、複数の行ラインのうちの、短絡行ライン及び検査待ちの行ライン以外の行ラインを電圧非印加状態にする。
【００６０】
なお、短絡行ラインの電位の第１既設値へのプルダウンは、プルダウンし続けることによって行われてもよい、第１既設値にプルダウンして解放することによって行われてもよい。本実施例では説明を省略する。
【００６１】
ステップＳ７０４は、各列ラインにおいて電位が第２既設値より低い列ラインが存在するか否かを検査し、存在する場合、ＬＥＤ表示装置に開放状態のＬＥＤビーズが存在していると判断する。
【００６２】
ステップＳ７０５は、複数の行ラインのうちの任意１つの検査待ちの行ラインに開放検出電圧を印加するとともに、複数の行ラインのうちの、検査待ちの行ライン以外の行ラインを電圧非印加状態にする。
【００６３】
ステップＳ７０６は、各列ラインにおいて電位が第２既設値より低い列ラインが存在するか否かを検査し、存在する場合、ＬＥＤ表示装置に開放状態のＬＥＤビーズが存在していると判断する。
【００６４】
ＬＥＤ表示装置に開放状態のＬＥＤビーズが存在していると判断した場合、検査待ちの行ラインと電位が第２既設値より低い列ラインとの交差点におけるＬＥＤビーズを開放状態のビーズとする。
【００６５】
なお、上記のステップＳ７０１〜ステップＳ７０６に係る開放検出方法は、上記の図３又は図６における実施例による開放検出方法と同様な技術的特徴を有するため、上記のステップＳ７０１〜ステップＳ７０６の詳細について、上記の実施例の詳細説明を参照でき、本実施例では説明を省略する。
【００６６】
図６に示した実施例による開放検出方法に対して、本実施例による上記の開放検出方法は、ＬＥＤ表示装置に短絡状態のＬＥＤビーズを検出したと、開放検出を行うとき、短絡行ラインの電位を第１既設値にプルダウンすればよい。これによって、従来技術の短絡ビーズによる開放検出失敗の問題を避けることができる。
【００６７】
また、本出願の実施例によるＬＥＤ表示装置は、図８に示すＬＥＤ表示装置の模式的構成図に示すように、行駆動モジュール１１と、列駆動モジュール１２と、ＬＥＤ表示アレイ１３と、制御装置１４とを有する。
【００６８】
前記ＬＥＤ表示アレイ１３は、複数の行ライン１３１と、複数の列ライン１３２と、複数のＬＥＤビーズ１３０とを有し、各前記ＬＥＤビーズ１３０は、正極が１本の前記行ライン１３１と接続され、負極が１本の前記列ライン１３２と接続される。
【００６９】
上記の行駆動モジュール１１は、各行ライン１３１のそれぞれと接続され、複数の行ライン１３１のうちの検査待ちの行ラインに開放検出電圧を印加するとともに、複数の行ライン１３１のうちの、検査待ちの行ライン以外の行ライン１３１の電位を０超かつ各ＬＥＤビーズ１３０のオン電圧より低い第１既設値にプルダウンする。
【００７０】
上記の列駆動モジュール１２は、各列ライン１３２のそれぞれと接続され、検査待ちの行ラインと接続されるＬＥＤビーズ１３０の両端間にＬＥＤビーズ１３０を導通させる電圧差を形成するように、各列ライン１３２に駆動電圧を印加する。列駆動モジュール１２は、定電流源駆動モジュールであってもよいが、これに限定されない。
【００７１】
上記の制御装置１４は、行駆動モジュール１１及び列駆動モジュール１２と接続され、行駆動モジュール１１が複数の行ライン１３１のうちの任意１つの検査待ちの行ラインに開放検出電圧を印加するとともに、複数の行ライン１３１のうちの、検査待ちの行ライン以外の行ライン１３１の電位を、０超かつ各ＬＥＤビーズ１３０のオン電圧より低い第１既設値にプルダウンするように制御する。制御装置１４は、さらに、各列ライン１３２において電位が第２既設値より低い列ライン１３２が存在するか否かを検査し、存在する場合、ＬＥＤ表示装置１０に開放状態のＬＥＤビーズ１３０が存在していると判断する。
【００７２】
本出願の実施例によるＬＥＤ表示装置は、図８に示すＬＥＤ表示装置の模式的構成図に示すように、行駆動モジュール１１と、列駆動モジュール１２と、ＬＥＤ表示アレイ１３と、制御装置１４とを有する。
【００７３】
前記ＬＥＤ表示アレイ１３は、複数の行ライン１３１と、複数の列ライン１３２と、複数のＬＥＤビーズ１３０とを有し、各ＬＥＤビーズ１３０は、正極が１本の前記行ライン１３１と接続され、負極が１本の前記列ライン１３２と接続される。
【００７４】
上記の行駆動モジュール１１は、各行ライン１３１のそれぞれと接続され、複数の行ライン１３１に短絡状態のＬＥＤビーズの対応する行ラインである短絡行ラインが存在する場合、前記複数の行ライン１３１のうちの、短絡行ライン以外の任意１つの検査待ちの行ラインに開放検出電圧を印加し、短絡行ラインの電位を０超かつ各ＬＥＤビーズ１３０のオン電圧より低い第１既設値にプルダウンするとともに、複数の行ライン１３１のうちの、短絡行ライン及び検査待ちの行ライン以外の行ライン１３１を電圧非印加状態にする。
【００７５】
上記の列駆動モジュール１２は、各列ライン１３２のそれぞれと接続され、検査待ちの行ラインと接続されるＬＥＤビーズ１３０の両端間にＬＥＤビーズ１３０を導通させる電圧差を形成するように、各列ライン１３２に駆動電圧を印加する。列駆動モジュール１２は、定電流源駆動モジュールであってもよいが、これに限定されない。
【００７６】
上記の制御装置１４は、行駆動モジュール１１及び列駆動モジュール１２と接続され、ＬＥＤ表示装置１０において短絡状態のＬＥＤビーズ１３０が存在するか否かを検査し、存在する場合、短絡状態のＬＥＤビーズ１３０の対応する行ライン１３１を短絡行ラインとするとともに、行駆動モジュール１１が複数の行ライン１３１のうちの、短絡行ライン以外の任意１つの検査待ちの行ラインに開放検出電圧を印加し、短絡行ラインの電位を０超かつ各ＬＥＤビーズのオン電圧より低い第１既設値にプルダウンし、複数の行ライン１３１のうちの短絡行ライン及び検査待ちの行ライン以外の行ライン１３１を電圧非印加状態にするように制御する。制御装置１４は、さらに、各列ライン１３２において電位が第２既設値より低い列ライン１３２が存在するか否かを検査し、存在する場合、ＬＥＤ表示装置１０に開放状態のＬＥＤビーズ１３０が存在していると判断する。
【００７７】
以上により、本出願の実施例による開放検出方法及びＬＥＤ表示装置１０は、検査待ちの行ラインに開放検出電圧を印加するとともに、検査待ちの行ライン以外の行ライン１３１又は短絡行ラインの電位を０超かつ各ＬＥＤビーズ１３０のオン電圧より低い第１既設値にプルダウンし、さらに、各列ライン１３２において電位が第２既設値より低い列ライン１３２が存在するか否か等に基づいて検査待ちの行ラインに接続されるＬＥＤビーズ１３０に開放問題があるか否かを判断する。これによって、ＬＥＤ表示装置１０に対する開放検出の有効性及び正確性を向上させる。
【００７８】
また、本出願による開放検出方法は、従来のＬＥＤ表示装置１０の回路構成を変更せず、従来技術のＬＥＤ表示装置１０における短絡ビーズによる開放検出失敗の問題を効果的に避けることができる。
【００７９】
本出願の説明において、用語「設置」、「連係」、「接続」を、広義に理解すべきである。例えば、固定接続でもよいし、取外し可能な接続でもよいし、一体的な接続でもよい。そして、機械的な接続でもよいし、電気的な接続でもよい。また、直接に接続してもよいし、中間物を介して間接に接続してもよいし、２つの素子の内部が連通してもよい。当業者は、本出願における上記用語の具体的な意味を、具体的な状況に応じて理解することが可能である。
【００８０】
上記の記載は、本出願の好ましい実施例にすぎず、本出願を限定するものではない。当業者にとって、本出願に対して各種の変更や変化を行うことが可能である。本出願の精神及び主旨を逸脱しない限り、行われた変更、均等置き換え、改良等が、いずれも本出願の保護範囲に属する。
【産業上の利用可能性】
【００８１】
本出願の技術案を利用することにより、ＬＥＤ表示装置におけるＬＥＤビーズに対する開放検出の有効性及び正確性を向上させ、従来技術のＬＥＤ表示装置における短絡ビーズによる開放検出失敗の問題を効果的に避けることができる。
【符号の説明】
【００８２】
１０  ＬＥＤ表示装置
１１  行駆動モジュール
１２  列駆動モジュール
１３  ＬＥＤ表示アレイ
１３０  ＬＥＤビーズ
１３１  行ライン
１３２  列ライン
１４  制御装置
【図１】
2021526232.tif 000003
【図２】
2021526232.tif 000004
【図３】
2021526232.tif 000005
【図４】
2021526232.tif 000006
【図５】
2021526232.tif 000007
【図６】
2021526232.tif 000008
【図７】
2021526232.tif 000009
【図８】
2021526232.tif 000010
【国際調査報告】
2021526232.tif 000011
2021526232.tif 000012
2021526232.tif 000013
2021526232.tif 000014
2021526232.tif 000015
2021526232.tif 000016